(57)【要約】【課題】  本発明はルアーに関し、キャスティングによる着水時の姿勢の安定を図って、速やかに泳動状態に復帰させることのできるルアーを提供することを目的とする。【解決手段】  ルアー本体内に、錘をルアー本体の前後方向へ移動自在に保持する移動案内部を複数設けたルアーに於て、上記移動案内部を、ルアー本体の前後方向へ配した線材で形成し、錘を磁力で互いに吸着可能な磁性体で形成して、各線材に錘を移動自在に遊嵌保持すると共に、ルアー本体内に、線材に沿ってルアー本体の前方へ移動した錘が当接可能な磁性体からなる介在部材を装着したことを特徴とする。【選択図】    図１
2005287359.tif 000002
【特許請求の範囲】
【請求項１】
ルアー本体内に、錘をルアー本体の前後方向へ移動自在に保持する移動案内部を複数設けたルアーに於て、
上記移動案内部を、ルアー本体の前後方向へ配した線材で形成し、錘を磁力で互いに吸着可能な磁性体で形成して、各線材に錘を移動自在に遊嵌保持すると共に、
ルアー本体内に、線材に沿ってルアー本体の前方へ移動した錘が当接可能な磁性体からなる介在部材を装着したことを特徴とするルアー。
【請求項２】
介在部材は線材の前端側に装着されて、錘の移動方向の正面に位置することを特徴とする請求項１に記載のルアー。
【請求項３】
介在部材は錘の移動方向の正面に位置する突片を有し、当該突片に、線材に沿ってルアー本体の前方へ移動した錘が当接することを特徴とする請求項２に記載のルアー。
【発明の詳細な説明】
【技術分野】
【０００１】
本発明は、キャスティングによる着水時の姿勢の安定を図ったルアーに関する。
【背景技術】
【０００２】
従来、ルアーフィッシングに用いるルアーは、内部を中空に形成して構造自体に浮力を持たせると共に、内部に重心移動用の錘を前後方向へ移動自在に収容して、キャスティング時に後方へ移動した錘の重量で飛距離を確保し、また、着水時に前方へ移動する錘の重心移動を利用して良好な泳動姿勢を確保しつつ、前方へ移動した錘の保持手段を設けて着水時と泳動時の姿勢の安定を図っている。
【０００３】
図３は特許文献１に開示されたルアーを示し、このルアー１は、ルアー本体３内に設けた２つのリブ５，７によって、磁石からなる基本錘９の移動案内部１１と、タングステンからなる移動錘１３と炭素鋼からなる保持錘１５との移動案内部１７を交差するように設けて、図４の如くリブ５の下部の裏面側と移動案内部１７との間に強磁性体からなる基板１９を架設したもので、リブ５に設けた小孔２１に、基板１９側に形成した突起２３がリブ５と面一に嵌合している。
【０００４】
而して、このルアー１によれば、図４に示すように突起２３に基本錘９が吸着して位置決めされるため、基本錘９の磁力が基板１９を介して保持錘１５に作用し、移動錘１３が保持錘１５と基板１９との間で挟持されて移動案内部１７の前方で保持される。
【特許文献１】特開２００１−２９９１５４号公報
【発明の開示】
【発明が解決しようとする課題】
【０００５】
しかし乍ら、上記ルアー１は、リブ５で区画されたルアー本体３内の広い中空部２５に基本錘９が収容された構造上、着水時に基本錘９が移動案内部１１（リブ５）に沿って転動するとは限らず、中空部２５内で不規則に移動して突起２３に吸着せず、また、突起２３がリブ５と面一に小孔２１に嵌合し、而も、移動案内部１１に沿って移動する基本錘９の移動方向正面に突起２３が配置されていないため、基本錘９が突起２３に吸着せずに通過して、中空部２５の前方（ルアー１の前方）へ移動してしまう虞があった。
【０００６】
そして、斯様に基本錘９が突起２３に吸着しないと、移動錘１３を移動案内部１７の前方で確実に保持することができず、着水時のルアー１の姿勢が乱れて速やかに泳動状態に復帰させることができなかった。
本発明は斯かる実情に鑑み案出されたもので、キャスティングによる着水時の姿勢の安定を図って、速やかに泳動状態に復帰させることのできるルアーを提供することを目的とする。
【課題を解決するための手段】
【０００７】
斯かる目的を達成するため、請求項１に係る発明は、ルアー本体内に、錘をルアー本体の前後方向へ移動自在に保持する移動案内部を複数設けたルアーに於て、上記移動案内部を、ルアー本体の前後方向へ配した線材で形成し、錘を磁力で互いに吸着可能な磁性体で形成して、各線材に錘を移動自在に遊嵌保持すると共に、ルアー本体内に、線材に沿ってルアー本体の前方へ移動した錘が当接可能な磁性体からなる介在部材を装着したことを特徴とする。
【０００８】
そして、請求項２に係る発明は、請求項１に記載のルアーに於て、介在部材は線材の前端側に装着されて、錘の移動方向の正面に位置することを特徴とし、請求項３に係る発明は、請求項２に記載のルアーに於て、介在部材は錘の移動方向の正面に位置する突片を有し、当該突片に、線材に沿ってルアー本体の前方へ移動した錘が当接することを特徴とする。
【発明の効果】
【０００９】
請求項１に係る発明によれば、着水時に錘が線材に沿って予定された方向へ確実に移動して介在部材に磁力で吸着するため、錘が移動案内部の前方で保持されて着水時や泳動時のルアーの姿勢が安定する。
そして、請求項２に係る発明によれば、介在部材が線材の前端側に装着されて錘の移動方向の正面に位置し、また、請求項３に係る発明によれば、錘の移動方向の正面に位置する突片が介在部材に設けられているため、錘を確実に介在部材に吸着させて位置決め保持させることが可能である。
【発明を実施するための最良の形態】
【００１０】
以下、本発明の実施形態を図面に基づいて詳細に説明する。
図１は請求項１及び請求項２の一実施形態に係るルアーを示し、図に於て、３１はＡＢＳ樹脂等の合成樹脂からなる左右一対のルアー外表体３３，３５を接合して形成されたルアー本体で、従来と同様、ルアー本体３１は小魚状に形成されて、その表面に図示しない装飾が施されている。
【００１１】
そして、ルアー外表体３３，３５の口部には、夫々、半割れリップ３７ａ，３７ｂが一体に突設されており、両ルアー外表体３３，３５を溶接等で接合して、ルアー本体３１の口部にリップ３７が形成されている。
また、構造自体に浮力を持たせるため、ルアー本体３１はその内部全体が中空部３９とされているが、その腹部に厚肉な固定錘装着部４１と釣針止着部４３が内方へ突設されており、固定錘装着部４１内に固定錘４５が装着されている。固定錘４５は、ルアー４７の前傾姿勢を維持しつつ、後述する移動錘４９等と共にルアー４７のバランスを保つように機能する。
【００１２】
一方、釣針止着部４３には、ルアー本体３１の腹部外周からピン５１が止着され、更に、ルアー本体３１の口部と尾部に設けた厚肉な釣糸止着部５３と釣針止着部５５にも、夫々、ピン５７，５９が止着されている。そして、ルアー本体３１の腹部と尾部に止着されたピン５１，５９に、スプリットリング６１を介して釣針６３が取り付けられている。
また、釣針止着部４３の上面は、ルアー本体３１の背面部後方と対向する傾斜面６５とされており、当該傾斜面６５に、後述する線材６７の挿通孔６９，７１が上下２カ所に穿設された１枚の鉄等の磁性体からなる平板状の介在部材７３が接着剤等で接合されている。
【００１３】
そして、上記中空部３９内に、ステンレス等の非磁性体からなる１本の線材６７が、移動錘４９と保持錘７５の移動案内部として架け渡されている。
図示するように線材６７は側面視略Ｖ字状に形成されており、その一端は、釣針止着部４３より後方のルアー本体３の背面側内面に突設した支持突起７７に埋設され、他端側は、尾部側の釣針止着部５５に埋設されている。
【００１４】
そして、線材６７の屈曲部が釣針止着部４３に埋設されており、上記挿通孔７１を挿通して当該釣針止着部４３と釣針止着部５５間（ルアー本体３１の尾部と腹部の間）に、後述する第２移動案内部８１より緩やかに前方へ下るように傾斜して架設された線材６７が、移動錘４９を保持する第１移動案内部７９とされ、また、前記挿通孔６９を挿通して支持突起７７と釣針止着部４３間（ルアー本体３１の背面部と腹部の間）に、前方が下るように第１移動案内部７９より急傾斜して架設された短寸な線材６７が、保持錘７５を保持する第２移動案内部８１とされて、第１移動案内部７９よりルアー本体３１の前方に設けられている。そして、第１移動案内部７９の線材６７に、鉄を含んで（または散在して）磁性を持った比重１２以上１７以下のタングステン合金からなる球状の移動錘４９が遊嵌保持されており、移動錘４９は線材６７（第１移動案内部７９）に沿ってルアー本体３１の前後方向へ自在に移動する。
【００１５】
同様に、第２移動案内部８１の線材６７に、ネオジウム磁石（ネオジウム，鉄，ボロン等からなり、比重７．４）からなる球状の保持錘７５が遊嵌保持されており、保持錘７５は線材６７（第２移動案内部８１）に沿ってルアー本体３１の前後方向へ自在に移動する。
従って、前記介在部材７３は、第１移動案内部７９と第２移動案内部８１の線材６７の前端側に配置されて、移動錘４９と保持錘７５の移動方向の正面に位置した構造となっている。
【００１６】
尚、このようにルアー本体３１のより後方に移動する第１移動案内部７９の移動錘４９を、第２移動案内部８１の保持錘７５より重くしたのは、キャスティング時に十分な飛距離を得るためで、移動錘４９を保持錘７５と同一材料で形成してもよいし鉄（比重７．８）等を用いることもできるが、比重１２以上の金属（鉛より比重が大きい）で形成することが好ましい。また、タングステンやタングステン合金を磁性体で被覆して移動錘４９を形成してもよい。
【００１７】
そして、図１に示すように移動錘４９と保持錘７５が、夫々、線材６７（第１移動案内部７９と第２移動案内部８１）に沿ってルアー本体３１の前方に移動すると、夫々の移動方向の正面に位置する介在部材７３に両錘４９，７５が若干の隙間を空けて接触するが、保持錘７５は磁石で形成されているため、保持錘７５は自らの磁力で介在部材７３に吸着し、移動錘４９は、介在部材７３を介する保持錘７５の磁力で当該介在部材７３に吸着して位置決め保持されるようになっている。
【００１８】
また、ルアー４７を垂下したキャスティング体制に入ると、移動錘４９と保持錘７５は、夫々の自重で磁力に抗して介在部材７３から離間し、図１の二点鎖線で示すように線材６７に沿って第１，第２移動案内部７９，８１の後方へと移動する。
そして、キャスティングされたルアー４７が着水してリップ３７の作用で前傾すると、線材６７に沿って移動錘４９と保持錘７５が、夫々、第１移動案内部７９と第２移動案内部８１の前方へ移動して、介在部材７３に再び吸着するようになっている。
【００１９】
本実施形態はこのように構成されているから、ルアー４７を垂下したキャスティング体勢に入ると、図１の二点鎖線で示すように移動錘４９と保持錘７５は、線材６７に沿って第１，第２移動案内部７９，８１の後端部まで移動する。
而して、この状態でキャスティングすると、その慣性力で移動錘４９と保持錘７５が第１，第２移動案内部７９，８１の後端部に位置し乍ら、ルアー４７は尾部側を先頭に飛んで行くが、移動錘４９と保持錘７５が第１，第２移動案内部７９，８１の後端部に寄り、而も、より後方に移動する第１移動案内部７９の移動錘４９が第２移動案内部８１の保持錘７５より重く設定されているため、重心が後方に移動してルアー４７は飛行姿勢が崩れることなく安定して遠くへ飛んで行く。
【００２０】
そして、着水後、リップ３７が作用してルアー４７が前傾すると、これと同時に移動錘４９と保持錘７５が図１の如く線材６７に沿ってルアー４７の前方側へ移動して介在部材７３に接触するため、保持錘７５は自らの磁力で介在部材７３に吸着し、また、移動錘４９が介在部材７３を介する保持錘７５の磁力で当該介在部材７３に吸着して、第１移動案内部７９の前方で位置決め保持されることとなる。
【００２１】
従って、本実施形態によれば、図３の従来例と異なり、着水時に保持錘７５が線材６７の第２移動案内部８１に沿って予定された方向（第２移動案内部８１の前方）へ確実に移動し、而も、当該保持錘７５がその移動方向の正面に位置する介在部材７３に当接して移動が阻止され、介在部材７３に自らの磁力で吸着すると共に、着水時に移動錘４９が線材６７の第１移動案内部７９に沿って予定された方向（第１移動案内部７９の前方）へ確実に移動し、その移動方向の正面に位置する介在部材７３に確実に当接して移動が阻止され、保持錘７５の磁力で介在部材７３に確実に吸着（第１移動案内部７９の前方に位置決め保持）されるため、図３の従来例に比し着水時や泳動時のルアー４７の姿勢が著しく安定することとなった。
【００２２】
図２は請求項１乃至請求項３の一実施形態に係るルアーを示し、以下、本実施形態を図面に基づいて説明するが、上記実施形態と同一のものには同一符号を付してそれらの説明は省略する。
図２に於て、８３は前記ルアー外表体３３，３５と同一材料からなる左右一対のルアー外表体８５，８７を接合して形成されたルアー本体を示し、ルアー外表体８５，８７の口部には、夫々、半割れリップ８９ａ，８９ｂが一体に突設されており、両ルアー外表体８５，８７を接合してルアー本体８３の口部にリップ８９が形成されている。
【００２３】
そして、構造自体に浮力を持たせるため、ルアー本体８３はその内部全体が中空部９１とされているが、その腹部に厚肉な固定錘装着部９３と釣針止着部９５が内方へ突設されており、固定錘装着部４１内にバランス調整用の固定錘４５が装着されている。
更に、ルアー本体８３の腹部の内側には、斜め前方へ突出する突片９７，９９が前後に設けられた介在部材１０１が接着剤等で止着されており、前方に位置する突片９７は釣針止着部９５の側部に当接している。尚、この介在部材１０１は既述した介在部材７３と同一材料で形成されている。
【００２４】
そして、中空部９１内に、前記線材６７と同一材料からなる２本の線材１０３，１０５が、夫々、移動錘１０７と保持錘１０９の第１，第２移動案内部１１１，１１３としてルアー本体８３の前後方向へ上下に架け渡されている。
而して、図示するように第１移動案内部１１１の線材１０３は、一端がルアー本体８３の尾部の釣針止着部５５に埋設され、他端側は前記突片９９に設けた挿通孔１１５を挿通して、ルアー本体８３の前方向へ第２移動案内部１１３より緩やかに下るように傾斜して配されている。
【００２５】
また、第２移動案内部１１３の線材１０５は、第１移動案内部１１１の線材１０３よりもルアー本体８３の前方に設けられ、一端が前記突片９７に設けた挿通孔１１７を挿通して厚肉な釣針止着部９５内に埋設され、他端側はルアー本体８３の尾部側の背面部内面に突設された支持突起１１９に埋設されており、当該線材１０５は前記線材１０３（第１移動案内部１１１）に比しルアー本体８３の前方向へ急な下りの傾斜角で配されている。
【００２６】
そして、第１移動案内部１１１の線材１０３に、前記移動錘４９と同一材料で形成された略円柱状の移動錘１０７が、線材１０３に沿ってルアー本体８３の前後方向へ移動自在に遊嵌保持されており、このため、前記突片９９は線材１０３の前端側に配置されて移動錘１０７の移動方向の正面に位置することとなる。
従って、図示するように移動錘１０７が線材１０３（第１移動案内部１１１）に沿ってルアー本体８３の前方へ移動すると、移動錘１０７は突片９９に当接して移動が阻止される。
【００２７】
一方、第２移動案内部１１３側の線材１０５に、前記保持錘７５と同一材料で形成された略円柱状の保持錘１０９が、線材１０５に沿ってルアー本体８３の前後方向へ移動自在に遊嵌保持されており、このため、前記突片９７は線材１０５の前端側に配置されて保持錘１０９の移動方向の正面に位置することとなる。
従って、図示するように保持錘１０９が線材１０５（第２移動案内部１１３）に沿ってルアー本体８３の前方へ移動すると、保持錘１０９は突片９７に当接して移動が阻止される。
【００２８】
そして、保持錘１０９は磁石で形成されているから、斯様に突片９７に当接すると、保持錘１０９はそれ自体の磁力で突片９７に吸着し、この結果、突片９９に当接した移動錘１０７は、介在部材１０１を介する保持錘１０９の磁力で当該突片９９に吸着して、第１移動案内部１１１の前方に位置決め保持されるようになっている。
また、キャスティングに当たり、ルアー１２１を垂下したキャスティング体制に入ると、移動錘１０７と保持錘１０９は、夫々の自重で磁力に抗して突片９９，９７から離間し、図２の二点鎖線で示すように線材１０３，１０５に沿って、夫々、第１，第２移動案内部１１１，１１３の後方へと移動する。
【００２９】
そして、キャスティングされたルアー１２１が着水してリップ８９の作用で前傾すると、線材１０３，１０５に沿って移動錘１０７と保持錘１０９が、夫々、第１移動案内部１１１と第２移動案内部１１３の前方へ移動して、介在部材１０１の突片９９，９７に再び吸着するようになっている。
その他、図中、１２３は線材１０３，１０５に取り付けられたシリコンラバーや発泡プラスチック，ポリエチレン系のＴＰＥ，天然ゴム，合成ゴム等のエラストマーからなる緩衝部材で、当該緩衝部材１２３によって、移動錘１０７と保持錘１０９の移動に伴うルアー本体８３（釣針止着部５５，支持突起１１９）との衝突音の発生を防止している。
【００３０】
本実施形態はこのように構成されているから、ルアー１２１を垂下したキャスティング体勢に入ると、図２の二点鎖線で示すように移動錘１０７と保持錘１０９は、夫々、線材１０３，１０５に沿って第１，第２移動案内部１１１，１１３の後端部まで移動する。
而して、この状態でキャスティングすると、その慣性力で移動錘１０７と保持錘１０９が第１，第２移動案内部１１１，１１３の後端部に位置し乍ら、ルアー１２１は尾部側を先頭に飛んで行くが、移動錘１０７と保持錘１０９が第１，第２移動案内部１１１，１１３の後端部に寄り、而も、より後方に移動する第１移動案内部１１１の移動錘１０７が第２移動案内部１１３の保持錘１０９より重く設定されているため、重心が後方に移動してルアー１２１は飛行姿勢が崩れることなく安定して遠くへ飛んで行く。
【００３１】
そして、着水後、リップ８９が作用してルアー１２１が前傾すると、これと同時に移動錘１０７と保持錘１０９が図２の如く線材１０３，１０５に沿ってルアー１２１の前方側へ移動して突片９９，９７に夫々接触するため、保持錘１０９は自らの磁力で突片９７に吸着し、移動錘１０７が介在部材１０１を介する保持錘１０９の磁力で突片９９に吸着して、第１移動案内部１１１の前方で位置決め保持されることとなる。
【００３２】
従って、本実施形態によっても、図１の実施形態と同様、着水時に保持錘１０９が線材１０５に沿って予定された方向へ確実に移動し、而も、当該保持錘１０９がその移動方向の正面に位置する介在部材１０１の突片９７に自らの磁力で吸着すると共に、着水時に移動錘１０７が線材１０３に沿って予定された方向へ確実に移動した後、その移動方向の正面に位置する介在部材１０１の突片９９に確実に接触して、保持錘１０９の磁力で当該突片９９に確実に吸着（第１移動案内部１１１の前方に位置決め保持）されるため、図３の従来例に比し着水時や泳動時のルアー１２１の姿勢が著しく安定することとなった。
【図面の簡単な説明】
【００３３】
【図１】請求項１及び請求項２の一実施形態に係るルアーの要部断面図である。
【図２】請求項１乃至請求項３の一実施形態に係るルアーの要部断面図である。
【図３】従来のルアーの要部断面図である。
【図４】図３に示すルアーの要部拡大断面図である。
【符号の説明】
【００３４】
３１，８３  ルアー本体
３３，３５，８５，８７  ルアー外表体
３７，８９  リップ
３９，９１  中空部
４１，９３  固定錘装着部
４３，５５，９５  釣針止着部
４５  固定錘
４７，１２１  ルアー
４９，１０７  移動錘
５３  釣糸止着部
６７，１０３，１０５  線材
６９，７１，１１５，１１７  挿通孔
７３，１０１  介在部材
７５，１０９  保持錘
７９，１１１  第１移動案内部
８１，１１３  第２移動案内部
９７，９９  突片
【図１】
2005287359.tif 000003
【図２】
2005287359.tif 000004
【図３】
2005287359.tif 000005
【図４】
2005287359.tif 000006